(57)【特許請求の範囲】
【請求項１】
複数の照明モジュールを有する照明システムを動作させる方法であって、前記照明モジュールのそれぞれは少なくとも一つの通信ユニットを有し、各照明モジュールは、前記少なくとも一つの通信ユニットの一つを介して少なくとも一つの近隣照明モジュールと通信するよう適応され、前記照明システムはさらに、前記照明モジュールの少なくとも一つに制御信号を通信するよう適応された制御装置を有しており、前記照明モジュールのそれぞれは、該照明モジュールに通信された制御信号を、近隣の照明モジュールにさらに通信するよう適応されており、当該方法は：
ａ）所定の複数の通信ユニットのそれぞれについて、その通信ユニットによって受信される制御信号に含まれる、前記制御信号がその通信ユニットに到着する前に通過した照明モジュールの数を示す制御信号経路長値を読み、所定の増分だけインクリメントし、その通信ユニット内に、インクリメントされた制御信号経路長値を記憶する、段階と；
ｂ）前記所定の複数の通信ユニットに関連付けられた照明モジュールのそれぞれについて、その照明モジュールの各通信ユニット内に記憶されている制御信号経路長値のうち最小の制御信号経路長値に関連付けられている通信ユニットを、その照明モジュールが前記制御装置からの制御信号を受け取るためのアクティブな通信ユニットとして割り当てる段階とを含む、
方法。
【請求項２】
請求項１記載の方法であって、照明モジュールのアクティブな通信ユニット以外の該照明モジュールの通信ユニットが制御信号経路長値を読み、インクリメントして、インクリメントされた制御信号経路長値が、その照明モジュールのアクティブな通信ユニットのメモリ・ユニットに記憶されている制御信号経路長値に等しくなる場合：
ｃ）その照明モジュールのアクティブな通信ユニットとして現在割り当てられている通信ユニットを、その照明モジュールのアクティブな通信ユニットとして維持する段階をさらに含む、
方法。
【請求項３】
請求項１記載の方法であって、さらに：
ｄ）所定の制御信号生成期間中に少なくとも一つの照明モジュールからなるセットによって制御信号が受信されたかどうかを検知し；
ｅ）前記所定の制御信号生成期間中に前記セットのある照明モジュールによって制御信号が全く受信されなかった場合、その照明モジュールの各通信ユニットについて段階ａ）を実行し、その照明モジュールについて段階ｂ）を実行することを含む、
方法。
【請求項４】
複数の照明モジュールを有する照明システムであって、
各照明モジュールは、メモリ・ユニットを含む少なくとも一つの通信ユニットを有しており、各照明モジュールは、前記少なくとも一つの通信ユニットの一つを介して、少なくとも一つの近隣照明モジュールと通信するよう適応されており、
当該照明システムはさらに、制御信号を、前記照明モジュールの少なくとも一つに通信するよう適応された制御装置を有しており、
各照明モジュールは、該照明モジュールに通信された制御信号を近隣の照明モジュールにさらに通信するよう適応されており、
所定の複数の通信ユニットのそれぞれは、該通信ユニットによって受信された制御信号に含まれる、該制御信号がその通信ユニットに到着する前に通過した照明モジュールの数を示す制御信号経路長値を読み、所定の増分だけインクリメントし、その通信ユニットのメモリ内に、インクリメントされた制御信号経路長値を記憶するよう適応されており、
前記所定の複数の通信ユニットに関連付けられた照明モジュールのそれぞれはさらに、その照明モジュールの各通信ユニット内に記憶されている制御信号経路長値のうち最小の制御信号経路長値に関連付けられている通信ユニットを、その照明モジュールが前記制御装置からの制御信号を受け取るためのアクティブな通信ユニットとして割り当てるよう適応されている、
照明システム。
【請求項５】
請求項４記載の照明システムであって、前記アクティブな通信ユニットのそれぞれは、該アクティブな通信ユニットによって受信された制御信号から、前記照明モジュールどうしが互いに対してどのような関係で配置されるかを示す情報を読み取るよう適応されている、照明システム。
【請求項６】
請求項５記載の照明システムであって、前記情報が、前記制御信号の受信元の近隣の照明モジュールのどの通信ユニットから前記制御信号が当該アクティブな通信ユニットに通信されたかを示す情報を含む、請求項５記載の照明システム。
【請求項７】
請求項４記載の照明システムであって、前記アクティブな通信ユニットのそれぞれは、前記アクティブな通信ユニットによって受信される制御信号から、前記制御信号の受信元の近隣の照明モジュールのアドレスを読み取り、該アドレスに基づいて、前記アクティブな通信ユニットに関連付けられた照明モジュールのアドレスを導出するよう適応されている、照明システム。
【請求項８】
請求項７記載の照明システムであって、前記照明モジュールはアレイ状に配置され、前記アドレスは、前記アレイの幾何学的構成にさらに基づいて導出され、前記アドレスは、前記アクティブな通信ユニットを有する照明モジュールに関連付けられた前記アレイ中での行および列を示すデータを含む、照明システム。
【請求項９】
請求項４記載の照明システムであって、制御信号経路長に関して最適な制御信号データ経路のそれぞれは、それぞれの照明モジュールから前記制御装置までデータを通信するようさらに適応されており、それによりデータ戻り経路を形成する、照明システム。
【請求項１０】
請求項７記載の照明システムであって、制御信号経路長に関して最適な制御信号データ経路のそれぞれは、それぞれの照明モジュールから前記制御装置にデータを通信するようさらに適応されており、それによりデータ戻り経路を形成し、前記照明モジュールはさらに、前記照明モジュールのアドレスを前記制御装置に、前記データ戻り経路を介して、所定のアドレス戻りレートで返すよう適応されている、照明システム。
【請求項１１】
請求項１０記載の照明システムであって、前記制御装置は、データ戻り経路を介して前記制御装置に返された照明モジュールのアドレスを記憶し、照明モジュールの前記システムについて帳簿データを生成し、所定の帳簿更新レートで、前記帳簿データを更新するようさらに適応されている、照明システム。
【請求項１２】
請求項４記載の照明システムであって、前記通信ユニットのそれぞれは、所定の予期信号生成レートで前記制御装置によって生成される制御信号予期信号の受信を検出するよう適応されている、照明システム。
【請求項１３】
請求項４記載の照明システムであって、前記照明モジュールのそれぞれについて、その照明モジュールの全通信ユニットに関して最小の制御信号経路長がその照明モジュールの通信ユニットの二つ以上に関連付けられている場合、その照明モジュールは、その照明モジュールの全通信ユニットに関して最小の制御信号経路長に関連付けられたその照明モジュールの一連の通信ユニットのうち、第一の方向における最初の通信ユニットを、アクティブな通信ユニットとして割り当てるよう適応されている、照明システム。
【請求項１４】
プロセッサ・ユニットにおいて実行されたときに、請求項１ないし３のうちいずれか一項記載の方法を実行するよう適応されたコンピュータ・コードを有するコンピュータ・プログラム。
【請求項１５】
プロセッサ・ユニットにおいて実行されたときに、請求項１ないし３のうちいずれか一項記載の方法を実行するよう適応されたコンピュータ・プログラムが記憶されたコンピュータ可読記憶媒体。
【請求項１６】
メモリ・ユニットを含む少なくとも一つの通信ユニットを有する照明モジュールであって、当該照明モジュールは、前記少なくとも一つの通信ユニットの一つを介して、少なくとも一つの近隣照明モジュールと通信するよう適応されており、
当該照明モジュールは、該照明モジュールに通信された制御信号を近隣の照明モジュールにさらに通信するよう適応されており、
所定の複数の通信ユニットのそれぞれは、該通信ユニットによって受信された制御装置からの制御信号に含まれる、該制御信号がその通信ユニットに到着する前に通過した照明モジュールの数を示す制御信号経路長値を読み、所定の増分だけインクリメントし、その通信ユニットのメモリ内に、インクリメントされた制御信号経路長値を記憶するよう適応されており、
当該照明モジュールはさらに、当該照明モジュールの通信ユニットであって、当該照明モジュールの各通信ユニット内に記憶されている制御信号経路長値のうち最小の制御信号経路長値に関連付けられている通信ユニットを、当該照明モジュールが前記制御装置からの制御信号を受け取るためのアクティブな通信ユニットとして割り当てるよう適応されている、
照明モジュール。
【発明の詳細な説明】
【技術分野】
【０００１】
本発明は概括的にはモジュラー照明の分野に関する。特に、本発明はモジュラー照明システムを動作させる方法に関する。
【背景技術】
【０００２】
指示（indication）目的用の発光ダイオード（LED）は長い間用いられているが、高輝度LED、たとえば部屋などさまざまな位置の全般的な照明を可能にするほど高い輝度をもつLEDは、短い期間の間に、LEDおよび照明用途市場において著しい成長を引き起こした。高輝度LEDは一般に小さなサイズ、比較的高い効率（および付随する低い温度）、比較的長い寿命、広い色範囲および制御の容易さに結び付けられている。当然ながら、そのようなLEDは、新しい照明アプリケーションを開発する際に、照明デザイナーにとって重要である。そのようなLEDは、フィラメント式の電球またはハロゲン・ランプといった通常の光生成装置を置き換えることにおいて利用されてもよい。そのようなLEDはまた、一般に、さまざまな色の光を発することができ、それによりそのようなLEDを含む照明器具から発される光の色を制御することが可能になる。
【０００３】
特に、比較的大きな面積にわたって広がり、可変な色および均一な光分布をもつ光源は、光拡散器で覆われた、複数の赤、緑および青のLEDを有するアレイを用いることによって提供されうる。このため、高輝度LEDは、たとえば店頭ウィンドウおよび展示場、劇場、空港などのような公共領域の照明および飾り付けといったあらゆる種類の用途にとって魅力的である。LEDが非常に高速な応答時間を提供できることおよびLEDベースのRGBトリプレットが事実上任意の色を生成できることのため、LEDベースのRGBトリプレットは、動く色パターンまたさらにはビデオを視覚化するための大面積の照明用途に好適となる。LED密度および／またはLEDの制御可能性に依存して、そのような直視型の照明用途は、単色の照明パネルから多色のビデオ・ディスプレイまで広がりうる。
【０００４】
たいていの従来式の照明器具は寿命の終わりまである位置に恒久的に取り付けられることが意図されるが、将来のLED照明用途では、使用および可搬性に関する柔軟性の重要度が増すことがありうる。モジュラー照明はこの方向への一歩である。モジュラー照明とは、さまざまなサイズおよび形状の大型照明装置を得るために集合させることのできるモジュールをいう。そのようなモジュラー照明アプリケーションの大きさおよび形状を、該モジュラー照明アプリケーションが設置される利用可能な空間に合わせて適応させる柔軟性にも拘わらず、そのようなモジュラー照明アプリケーションは、一般には標準的な長方形の液晶ディスプレイ（LCD）装置から外れる大きさおよび形状をもちうる画面上に、動く光パターン（またはビデオ）を視覚化するために使用されうる。実質的に二次元のモジュールは、時にタイルと称される。そのようなモジュールはさまざまな多角形の形を有していてもよい。たとえば、正方形、三角形または五角形などである。モジュールは二次元形状に限定されず、立方体、角錐などのような三次元形状を有していてもよい。可搬性は、個々のモジュールの大きさを限定することによって改善されうる。そのようなモジュラー照明のための応用分野は、デジタル標識（signage）および雰囲気生成でありうる。
【０００５】
従来、モジュールは通例、支持枠に取り付けられ、ワイヤおよびコネクタによって電気的に相互接続される。他の従来式のシステムは、何らかの外部の光パターン生成器とのデータ通信を確立するために、DMX512のような有線の照明通信プロトコルを利用する。無線相互接続機能のあるモジュールも知られている。
【０００６】
一般に、モジュラー照明システムは、モジュールの少なくとも一つに接続され、照明システムの少なくとも一部分についての光パターン生成器のはたらきをする外部コントローラによって制御される。照明システムを駆動するために、外部コントローラは一般に、照明システムの厳密な幾何学的構成について事前に（すなわち電源投入前または電源投入時に）知っておくことが必要であり、さらに、すべてのモジュールを相互接続するデータ経路へのアクセスをもつことが必要である。該データ経路を介して、外部コントローラは、個々のモジュールに、時間的に変化する（たとえば輝度／ルミナンスおよび色についての）データを供給しうる。しかしながら、モジュラー照明システムの幾何学形状および大きさは一般に、照明システムの電源投入時には、外部コントローラには未知である。さらに、モジュラー照明システムの幾何形状および／または大きさは、照明システムの動作中に変化することがありうる。それにより、すでに確立されたデータ経路が無効または非効率的（すなわち、外部コントローラから特定のモジュールへのデータ経路長に関して最適でない）になることがある。
【０００７】
従来技術では、最適なデータ経路は、照明システムの電源投入に先立って、技量のあるプログラマーによって外部コントローラにプログラムされる必要がある。しかしながら、このやり方では、照明システムの動作中に照明システムの幾何形状および／または大きさが、たとえば照明システムの位置の変化に応答してわずかに修正されると、ユーザー要求などへの適応のため、外部コントローラの照明ソフトウェアの適応が必要になる。このように、照明システムの動作期間全体を通じて技量のあるプログラマーの存在が一般に必要とされる。
【発明の概要】
【発明が解決しようとする課題】
【０００８】
本発明がなされたのは、上記およびその他の考察に関してである。本発明は、上述した欠点および不都合な点の一つまたは複数を単独でまたは組み合わせで緩和、軽減または解消しようとする。特に、本発明者は、最適なデータ経路を自動生成できるモジュラー照明システムを達成することが望ましいことを認識するに至った。本発明者はさらに、照明システムの動作中に（すなわちオンザフライで）照明システムの幾何形状および／または大きさの変化に合わせてデータ経路を自動的に適応させることのできるモジュラー照明システムを達成することが望ましいことを認識するに至った。
【課題を解決するための手段】
【０００９】
これらの懸念の一つまたは複数によりよく対処するため、独立請求項において定義される特徴をもつ方法および装置が提供される。本発明のさらなる有利な実施形態は従属請求項において定義される。
【００１０】
本発明の第一の側面によれば、複数の照明モジュールを有する照明システムを動作させる方法が提供される。照明モジュールのそれぞれは、少なくとも一つの通信ユニットを有し、各照明モジュールは、前記少なくとも一つの通信ユニットの一つを介して少なくとも一つの近隣（neighboring）照明モジュールと通信するよう適応される。照明システムはさらに、照明モジュールの少なくとも一つに制御信号を通信するよう適応された制御装置を有しており、照明モジュールのそれぞれは、該照明モジュールに通信された制御信号を、近隣の照明モジュールにさらに通信するよう適応される。本方法は、所定の複数の通信ユニットのそれぞれについて、その通信ユニットによって受信される制御信号に含まれる値を読み、所定の増分だけインクリメントすることを含む。ここで、前記値は、制御信号がその通信ユニットに到着する前に通過した照明モジュールの数を示す。本方法はさらに、その通信ユニット内に、インクリメントされた値を含む制御信号経路長値を記憶することを含む。本方法は、前記所定の複数の通信ユニットに関連付けられた照明モジュールのそれぞれについて、各照明モジュールの通信ユニットであって、その照明モジュールの全通信ユニットに関して最小の制御信号経路長値に関連付けられている通信ユニットを、アクティブな通信ユニットとして割り当てることを含む。換言すれば、制御装置から照明モジュールの各通信ユニットへの制御信号経路長に比べるとき、照明モジュールの通信ユニットのうち、制御装置から通信ユニットまで測られる最小の制御信号データ経路長に対応する通信ユニットが、アクティブな通信ユニットであるべく割り当てられる。アクティブな通信ユニットは、該アクティブな通信ユニットを介した制御信号の通信が、当該照明モジュールの他のいかなる通信ユニットを介した制御信号の通信と比較しても、制御信号経路長に関して最適であるようなものである。それにより、最適な制御信号データ経路が形成され、各データ経路は、前記制御装置からある照明モジュールまで制御信号を通信するよう適応されている。
【００１１】
そのような方法により、一般に、照明システムの制御装置から照明システム内の各照明モジュールまでの一つのデータ経路であって、制御装置からその照明モジュールまでの可能な最短のルートである経路を形成することを可能にすることができるモジュラー照明システムが提供される。そのようなデータ経路において、照明データ、制御データなどは、シリアル式に照明モジュールに転送されてもよい。そのような方法は、有利には、モジュラー照明システムの起動時（電源投入時）に実行されてもよく、それにより、照明システムのその後の動作中、当該システムの照明モジュールについての信号経路長に関して最適なデータ経路が形成され、利用されうる。このようにして、そのような方法は、輝度、色などに関するデータのようなデータを、照明モジュールの個々の発光要素（たとえばLED）に、制御装置から照明モジュールまでのデータ経路長に関して最適な仕方で、通信することを可能にすることができる。
【００１２】
照明システムの幾何学的構成への変化（たとえば個々の照明モジュールの除去、置換または入れ替えによる）および／または照明システムの大きさ（すなわち照明システムに含まれる照明モジュールの数）への変化などといった照明システムへの変化が、たとえば照明システムの動作中にオンザフライで生じた場合、本発明のいくつかの実施形態に基づく方法は、単に（たとえば照明システムを再起動することによって）該方法をいま一度実行してデータ経路を可能性としては新しい照明システムの状態に適応させることによって、その変化に自動的に適応しうる。
【００１３】
本発明のいくつかの実施形態の文脈では、特定の照明モジュールの「アクティブな通信ユニット」とは、照明モジュールの通信ユニットのうち、別の照明モジュールから受信された制御信号を近隣の照明モジュールに中継する際に好ましいものをいう。制御信号の全般的な方向が制御装置から遠ざかるものであるか制御装置に向かうものであるかにはよらない（後述）。
【００１４】
上記ですでに示したように、本発明のいくつかの実施形態の文脈では、「最適な制御信号データ経路」とは、照明システム中の相互接続された照明モジュール間に形成される、制御装置から特定の照明モジュールへの、またはその逆のデータ経路（後述）であって、該データ経路が、制御装置からその特定の照明モジュールまでのまたはその逆の最短経路の一つであるまたは最短経路であるようなものを意味する。
【００１５】
照明システム内の照明モジュール間の通信は、無線または有線で実行されうる。
【００１６】
照明システムに含まれる各照明モジュールは、照明モジュールの発光要素（たとえばLED）の、受信される制御信号に基づいた個別の制御を可能にするよう適応されていてもよい。
【００１７】
本発明の第二の側面によれば、複数の照明モジュールを有する照明システムが提供される。各照明モジュールは、メモリ・ユニットを含む少なくとも一つの通信ユニットを有する。ここで、各照明モジュールは、前記少なくとも一つの通信ユニットの一つを介して、少なくとも一つの近隣照明モジュールと通信するよう適応される。照明システムは、制御信号を、前記照明モジュールの少なくとも一つに通信するよう適応された制御装置を有する。ここで、各照明モジュールは、該照明モジュールに通信された制御信号を近隣の照明モジュールにさらに通信するよう適応される。所定の複数の通信ユニットのそれぞれは、該通信ユニットによって受信された制御信号に含まれる値を読み、所定の増分だけインクリメントするよう適応されていてもよい。ここで、前記値は、制御信号がその通信ユニットに到着する前に通過した照明モジュールの数を示す。所定の複数の通信ユニットのそれぞれはさらに、その通信ユニットのメモリ内に、インクリメントされた値を含む関連付けられた制御信号経路長値を記憶するよう適応されている。前記所定の複数の通信ユニットに関連付けられた照明モジュールのそれぞれはさらに、各照明モジュールの通信ユニットであって、その照明モジュールの全通信ユニットに関して最小の制御信号経路長値に関連付けられている通信ユニットを、アクティブな通信ユニットとして割り当てるよう適応されている。アクティブな通信ユニットは、該アクティブな通信ユニットを介した制御信号の通信が、当該照明モジュールの他のいかなる通信ユニットを介した制御信号の通信と比較しても、制御信号経路長に関して最適であるようなものである。それにより、最適な制御信号データ経路が形成され、各データ経路は、前記制御装置からある照明モジュールまで制御信号を通信するよう適応されている。
【００１８】
本発明の前記第二の側面に基づく照明システムにより、本発明の前記第一の側面に基づく方法の利点と同様なまたは同じ利点が達成されうる。
【００１９】
本発明の第三の側面によれば、プロセッサ・ユニットにおいて実行されたときに、本発明の前記第一の側面に基づく方法またはその何らかの実施形態を実行するよう適応されたコンピュータ・プログラム・プロダクトが提供される。
【００２０】
本発明の第四の側面によれば、プロセッサ・ユニットにおいて実行されたときに、本発明の前記第一の側面に基づく方法またはその何らかの実施形態を実行するよう適応されたコンピュータ・プログラム・プロダクトが記憶されたコンピュータ可読記憶媒体が提供される。
【００２１】
本発明のある例示的な実施形態によれば、照明モジュールのアクティブな通信ユニット以外の該照明ユニットの通信ユニットが値を読み、インクリメントして、インクリメントされた値が、その照明モジュールのアクティブな通信ユニットのメモリ・ユニットに記憶されている制御信号経路長値に等しくなる場合、その照明モジュールの現在アクティブな通信ユニットとして割り当てられている通信ユニットは、その照明モジュールのアクティブな通信ユニットとして維持されてもよい。
【００２２】
そのような構成により、たとえば照明システムを動作状態に保ちながらの照明システムのオンザフライの幾何学的な再構成の結果として、その照明モジュールのアクティブな通信ユニットのメモリ・ユニットに記憶されている制御信号経路長値に等しい制御信号モジュール通過カウント数を示す新しい値が、現在のアクティブな通信ユニット以外の通信ユニットによって受信される場合でも、特定の照明モジュールの現在のアクティブな通信ユニットをアクティブな通信ユニットとして維持することを可能にしうる。そのような場合、アクティブな通信ユニットの割り当てを変更する理由がないからである。制御信号モジュール通過カウント数を示す新しい値が照明モジュールのアクティブな通信ユニットのメモリ・ユニットに記憶されている制御信号経路長値より小さい場合にのみ、アクティブな通信ユニットの割り当ては変えられるべきである。
【００２３】
本発明のもう一つの実施形態によれば、所定の制御信号生成期間中に少なくとも一つの照明モジュールからなるセットによって制御信号が受信されたかどうかが検知されてもよい。前記所定の制御信号生成期間中に前記セット・モジュールのある照明モジュールによって制御信号が受信されなかった場合、その照明モジュールの各通信ユニットについて、前記通信ユニットによって受信された制御信号に含まれる値が読まれ、所定の増分だけインクリメントされてもよい。前記値は、制御信号がその通信ユニットに到着する前に通過した照明モジュールの数を示す。そして、その通信ユニット内に、インクリメントされた値を含む制御信号経路長値が記憶されてもよい。さらに、前記所定の制御信号生成期間中に制御信号を受信しなかった照明モジュールについて、その照明モジュールの通信ユニットであって、その照明モジュールの全通信ユニットに関して最小の制御信号経路長値に関連付けられている通信ユニットが、アクティブな通信ユニットとして割り当てられてもよく、それにより、該アクティブな通信ユニットを介した制御信号の通信が、当該照明モジュールの他のいかなる通信ユニットを介した制御信号の通信と比較しても、制御信号経路長に関して最適となる。それにより、前記制御装置から前記照明モジュールまで制御信号を通信するよう適応された、最適な制御信号データ経路が形成される。
【００２４】
そのような構成により、ある照明モジュールが受信データの損失を検出する場合、照明システム全体についてデータ経路生成プロセスを経る必要なしに、その特定の照明モジュールだけについてデータ経路生成を再実行することが可能となりうる。これは、その特定の照明モジュールのすべての通信ユニットの出力を無効化することを伴ってもよい。それにより、さらなる照明モジュールが新しいデータ源を再確立することを強いられることがありうる。
【００２５】
本発明のもう一つの実施形態によれば、アクティブな通信ユニットのそれぞれは、該アクティブな通信ユニットによって受信された制御信号から、照明システムの照明モジュールが互いに対してどのようにして配置されるかを示す情報を読み取るよう適応されてもよい。
【００２６】
本発明のさらにもう一つの実施形態によれば、照明システムの照明モジュールが互いに対してどのようにして配置されるかを示す前記情報は、制御信号の受信元の近隣の照明モジュールのどの通信ユニットから制御信号が当該アクティブな通信ユニットに通信されたかを示す情報を含んでいてもよい。
【００２７】
一般に、照明システムをある位置に設置するとき、照明モジュールは互いに対して好適な仕方で関係して、たとえばアレイ配位で、集合させられる。照明モジュールが互いに対してどのようにして配置されるかを示す前記情報により、すぐ上で記載された二つの実施形態は、他の（たとえば近隣の）照明モジュールによって表示される視覚的内容に適応するために、特定の照明モジュールによって表示される視覚的内容の配向を調整する（たとえば回転させる）ことを可能にしてもよい。それにより、照明システムの幾何学的配置における他の照明モジュールに対する照明モジュールの配向不感性（または回転不感性）が提供される。よって、すぐ上で記載された二つの実施形態によって、一般には、個々の照明モジュールは、照明モジュールの集合において照明モジュールが設置されるべき該照明モジュールの適正な配向を示す何らかのマーキングを有する必要はない。換言すれば、照明モジュール上に配置される「こちら側が上」マークなどの必要性がなくなりうる。このように、照明モジュールは、ランダムな配向で集合させることができ、設置後に、照明モジュールの視覚的内容の配向を適応させて、他の（たとえば近隣の）照明モジュールの視覚的内容と調和させることができる。このようにして、照明システムの集合体は、迅速かつ効率的な仕方で実行されうる。さらに、これは、照明システムの幾何学的構成への変化（たとえば個々の照明モジュールの除去、置換または入れ替えによる）および／または照明システムの大きさ（すなわち照明システムに含まれる照明モジュールの数）への変化などといった照明システムへの変化に対して、照明システムが自分自身を適応させることを可能にする。そのような変化の原因として、新しいまたは変更された照明モジュールによって表示される視覚的内容が他の（たとえば隣接する）照明モジュールに対して適正に配向されていないことがありうる。そのような変更は、たとえば、照明システムの動作中にオンザフライで生起しうる。
【００２８】
本発明のもう一つの実施形態によれば、アクティブな通信ユニットのそれぞれは、アクティブな通信ユニットによって受信される制御信号から、制御信号の受信元の近隣の照明モジュールのアドレスを読み取るよう適応されていてもよい。該アドレスに基づいて、アクティブな通信ユニットは、アクティブな通信ユニットに関連付けられた照明モジュールのアドレスを導出するよう適応されていてもよい。
【００２９】
そのような構成により、各照明モジュールに、照明システム全体に対して一意的であるアドレスを提供することが可能となりうる。照明モジュールに制御装置を介して通信される制御信号は、制御信号中のデータの各ブロックについてそのような一意的なアドレスを与えられていてもよいので、各照明モジュールは、制御信号から、該照明モジュール自身のために意図されているデータを抽出しうる。
【００３０】
本発明のさらにもう一つの実施形態によれば、照明モジュールはアレイ状に配置されていてもよく、前記アドレスは、前記アレイの幾何学的構成にさらに基づいて導出されてもよく、前記アドレスは、前記アクティブな通信ユニットを有する照明モジュールに関連付けられた前記アレイ中での行および列を示すデータを含む。
【００３１】
そのような構成は、各照明モジュールに、照明システム全体に関して一意的なアドレスを与えることを可能にしうる。制御装置を介して照明モジュールに通信される制御信号は、制御信号中のデータの各ブロックについてそのような一意的なアドレスを与えられていてもよいので、各照明モジュールは、制御信号から、該照明モジュール自身のために意図されているデータを抽出しうる。さらに、アレイ構成により、照明モジュールすべてのアドレスが論理的に相互関係を付けられることができ、それは、たとえばユーザーによる外部からの介入または支援は一切なしに、制御装置が、照明モジュールのアレイ全体を再構成することを可能にするために利用されうる。
【００３２】
本発明のいくつかの実施形態の文脈において、「アレイ」とは、複数の構成要素の系統的な配置をいう。
【００３３】
本発明のさらにもう一つの実施形態によれば、最適な制御信号データ経路のそれぞれは、それぞれの照明モジュールから制御装置までデータを通信するようさらに適応されてもよい。それによりデータ戻り経路が形成される。
【００３４】
このようにして、照明モジュールが制御装置にデータを通信して返すことができるデータ戻り経路が実装されうる。データ戻り経路は最適データ経路と平行に走るが、逆方向である。制御装置に通信して返されるそのようなデータは、これに限られないが、それぞれの照明モジュールのアドレスを示すデータを含んでいてもよい。
【００３５】
そのようなデータ戻り経路を介して照明モジュールから制御装置に返されるデータの時間的な密度は、制御装置までの距離が短くなるにつれて増大しうる。この目的に向け、照明モジュールは、たとえばそれぞれの照明モジュールの通信ユニット中などに含まれる時間的データ記憶ユニットによって、データ衝突およびオーバーフローを減らすよう適応されていてもよい。
【００３６】
本発明のさらにもう一つの実施形態によれば、最適な制御信号データ経路のそれぞれは、それぞれの照明モジュールから制御装置にデータを通信するようさらに適応されていてもよく、それによりデータ戻り経路が形成される。照明モジュールはさらに、照明モジュールのアドレスを制御装置に、データ戻り経路を介して、所定のアドレス戻りレートで返すよう適応されていてもよい。
【００３７】
規則的な間隔で照明モジュールのアドレスを返すことによって、そのような構成は、たとえば、制御装置が、該制御装置が駆動している照明システム全体の大きさ、また形状のいかなる可能な変化をも追跡できるようになりうる。たとえば、照明モジュールの除去は、その照明モジュールのアドレスが、所定のレートで制御装置に返されるデータのストリーム（とりわけ、照明モジュール・アドレス）から欠けているという事実によって、制御装置に示されうる。アドレス戻りレートは約100Hzであってもよい（すなわち、照明モジュールのアドレスは約10ms毎に照明モジュールから制御装置に通信されうる）。
【００３８】
本発明のさらにもう一つの実施形態によれば、制御装置は、データ戻り経路を介して制御装置に返された照明モジュールのアドレスを記憶し、照明モジュールのシステムについて帳簿〔ブックキーピング〕データを生成するよう適応されていてもよい。所定の帳簿更新レートで、制御装置は、帳簿データを更新するよう適応されていてもよい。
【００３９】
帳簿データの更新は、制御装置が、該制御装置が駆動している照明システム全体の照明モジュールの可能な変化を、それもすでに論じたような照明システムの大きさおよび／または形状への変化のみならず、照明システム全体または個々の照明モジュールの他の特性に関する変化をも、追跡することを可能にしうる。たとえば、そのような帳簿データは、これに限られないが、照明モジュールのアドレス、近隣モジュール情報（たとえば特定の照明モジュールにどの照明モジュールが隣接しているかを示す情報）、照明モジュールが取り得る照明モジュールの種々の状態および／または照明モジュールが現在どの状態にあるかを示すフラグ（またはトークン）、各照明モジュールの現在のアクティブな通信ユニットが何であるか、などを含んでいてもよい。
【００４０】
本発明のさらにもう一つの実施形態によれば、通信ユニットのそれぞれは、所定の予期信号生成レートで制御装置によって生成される制御信号予期信号の受信を検出するよう適応されていてもよい。
【００４１】
このようにして、照明モジュール（または通信ユニット）が制御信号の発生を検出するようアクティブに傾聴している状態にある必要性が緩和または解消されうる。通信ユニットのそれぞれは、制御信号の発生を検出するために傾聴するのを、該通信ユニットが制御信号予期信号の受信を検出するまで延期してもよいからである。このようにして、通信ユニットが常時、制御信号の発生を検出するようアクティブに傾聴する状態にある場合に比べ、電力消費が軽減されうる。
【００４２】
さらに、そのような構成は代替的にまたは任意的に、制御装置から照明モジュールに送られる他のデータ・ストリームの送信に先立つ同期信号のはたらきをしてもよい。たとえば、そのような構成は、制御装置が、所与の時点において制御信号予期信号を送ることを可能にできる。該制御信号予期信号の受信に際して、各通信ユニットは、制御信号の発生を検出しようとアクティブに傾聴することを開始する。
【００４３】
本発明のさらにもう一つの実施形態によれば、照明モジュールのそれぞれについて、その照明モジュールの通信ユニットすべてに関して最小の制御信号経路長がその照明モジュールの通信ユニットの二つ以上に関連付けられている場合、その照明モジュールは、その照明モジュールの通信ユニットすべてに関して最小の制御信号経路長に関連付けられたその照明モジュールの一連の通信ユニットのうち、第一の方向における最初の通信ユニットを、アクティブな通信ユニットとして割り当てるよう適応されてもよい。
【００４４】
換言すれば、特定の照明モジュールの通信ユニットの二つ以上がその照明モジュールの通信ユニットすべてに関して最小の制御信号経路長に関連付けられている場合、その照明モジュールのアクティブな通信ユニットを割り当てる上記の規則または仕方が採用されてもよい。このようにして、その照明モジュールのアクティブな通信ユニットを選択する（割り当てる）際の曖昧さが緩和または解消されうる。
【００４５】
本発明のさまざまな実施形態のさらなる目的および利点は、以下において、例示的な実施形態によって記述される。
【００４６】
本稿に開示されるいかなる方法のステップも、明示的に述べられているのではない限り、開示されている厳密な順序で実行される必要はない。
【００４７】
本発明は、請求項に記載される特徴のあらゆる可能な組み合わせに関することを注意しておく。
【図面の簡単な説明】
【００４８】
本発明の例示的な実施形態について、以下で、付属の図面を参照しつつ述べる。
【図１】本発明の例示的な実施形態の概略図である。
【図２】本発明の例示的な実施形態の概略図である。
【図３】本発明の例示的な実施形態の概略図である。
【図４】本発明の例示的な実施形態に基づくコンピュータ可読記憶媒体を示す概略図である。
【図５】本発明の例示的な実施形態に基づく方法を例解する概略的な流れ図である。
【発明を実施するための形態】
【００４９】
付属の図面において、同じ参照符号は、諸図面を通じて同じまたは同様の要素を表す。
【００５０】
本発明について、付属の図面を参照しつつ、以下において、より十全に述べる。図面においては、本発明の例示的な実施形態が示されている。しかしながら、本発明は、数多くの異なる形で具現されうるものであって、本稿に記載される実施形態に限定されると解釈すべきではない。むしろ、これらの実施形態は、本開示が十分かつ完全であるよう、また本開示が当業者に本発明の範囲を十全に伝えるよう、例として提供されるものである。さらに、同様の参照符号は全体を通じて同様または類似の要素を指す。
【００５１】
図１を参照するに、本発明の例示的な実施形態に基づく、複数の照明モジュール２ａ、２ｂ、２ｃ、２ｄ…（２）および制御装置３を有するモジュラー照明システム１の概略図が示されている。照明モジュール２ａ、２ｂ、２ｃ、２ｄ…（図１ではこのうち若干数のみが参照符号で指示されている）のそれぞれは、それぞれ複数の通信ユニット４ａ、４ｂ、４ｃ、４ｄ…（図１ではこのうち若干数のみが参照符号で指示されている）を有していてもよい。各照明モジュール２ａ、２ｂ、２ｃ、２ｄ…は、それぞれその通信ユニット４ａ、４ｂ、４ｃ、４ｄ…を介して、少なくとも一つの近隣の照明モジュールと、あるいは別の近隣の要素と、通信するよう適応されていてもよい。たとえば、各照明モジュール２ａ、２ｂ、２ｃ、２ｄ…は、その照明モジュールに通信された制御信号を、それぞれその通信ユニット４ａ、４ｂ、４ｃ、４ｄ…を介して、近隣の照明モジュールに、または別の近隣の要素に、通信するよう適応されていてもよい。これは図１では両方向の矢印によって示されている。それらの矢印は、複数の照明モジュールの２の各照明モジュールからのおよび各照明モジュールへの可能なデータ経路を表す。こうして、通信ユニット４ａ、４ｂ、４ｃ、４ｄ…によって、照明モジュール２ａ、２ｂ、２ｃ、２ｄ…は、それぞれの照明モジュール２ａ、２ｂ、２ｃ、２ｄ…の通信ユニットに信号を送信するおよび／または該通信ユニットから信号を受信する機能をもつ近隣の照明モジュールまたは別の要素から信号を送受信しうる。
【００５２】
図１をさらに参照するに、制御装置３は、照明モジュールの少なくとも一つに制御信号を通信するよう適応されていてもよい。これはたとえば通信線によって実施される。制御信号は、外部源５によって生成されてもよい。外部源はたとえば、コンピュータの中央処理ユニット（図示せず）を有していてもよい。あるいはまた、制御装置３は、そのような中央制御装置中に統合されていてもよいし、あるいはそのような中央制御装置であってもよい。
【００５３】
図１に描かれる例示的な実施形態によれば、照明システム１の照明モジュール２ａ、２ｂ、２ｃ、２ｄ…は、正方形状の照明モジュールの４かける４のアレイ構成を有する照明モジュールのアレイ内に配置されている。照明モジュールのそのような４かける４のアレイ構成は、単に例として示されているのであって、本発明を限定するものと解釈すべきではない。本発明は、任意の幾何形状、たとえば多角形の形をもつ照明モジュールを任意の個数有する照明システムを含む実施形態をも包含するものである。照明モジュールは互いとの関係で任意の仕方で配置されてよく、単に図１に例示的に描かれるような正方形照明モジュールの規則的な配列に留まらない。図１をさらに参照するに、照明モジュール２ａ、２ｂ、２ｃ、２ｄ…のそれぞれは、それぞれ四つの通信ユニット４ａ、４ｂ、４ｃ、４ｄ…を有する。しかしながら、各照明モジュールの通信ユニットの数は任意であり、ユーザー要求および／または照明要求に適応されてもよい。たとえば、複数の三角形状の照明モジュール（図示せず）を有する照明システムでは、各照明モジュールの通信ユニットの数はたとえば３であってもよい。
【００５４】
ここで図２を参照するに、本発明の例示的な実施形態に基づく照明システムの概略図が示されている。図２に描かれる照明システム１は、図１を参照して記述した照明システムに含まれる構成要素と同様または同じ機能をもつ、同様または同じ構成要素を有している。よって、図２を参照してのそのような同様または同一の構成要素の記述は省略する。図２は、以下で述べる本発明の実施形態の全般的な原理を例解している。制御装置３は、外部源５から制御信号を受信しうる。その制御信号は、さらに、照明システム１の照明モジュールの少なくとも一つに（たとえば、図２で示される照明モジュール２ｂに）通信されてもよい。任意的または代替的に、制御信号は制御装置３において生成され、照明システム１の照明モジュールの少なくとも一つに通信されてもよい。描かれている実施形態によれば、制御信号は制御装置３から照明モジュール２ｂに、照明モジュール２ｂの通信ユニット４ｂを介して通信される。次いで照明モジュール２ｂは、通信ユニット４ｂによって受信された制御信号を、それぞれ自分の他の通信ユニット４ｂ′、４ｂ″、４ｂ′′′を介して近隣の照明モジュール２ａ、２ｃ、２ｆに通信するよう適応されていてもよく、制御信号は、それぞれ照明モジュール２ａ、２ｆ、２ｃの通信ユニット４ａ、４ｆ、４ｃによって受信される。
【００５５】
図２をさらに参照するに、照明システム１の照明モジュールの通信ユニットのそれぞれは、その通信ユニットによって受信される制御信号に含まれる値を読み、所定の増分だけインクリメントするよう適応されていてもよい。前記値は、その制御信号がその通信ユニットに到着する前に通過した照明モジュールの数を示す。この目的のため、制御信号は、たとえば、該制御信号が照明モジュールを通過するのに応答して適切に更新されるフレームまたはフィールドを有していてもよい。図２を参照して述べた例示的な実施形態によれば、通信ユニット４ｂで出発し、制御信号は、制御ユニット４ｂを通る矢印によって示されるように通信ユニット４ｂを通過してもよい。その際、通信ユニット４ｂは前記値を１インクリメントしてもよく、それに関連付けられた制御信号経路長値Vを、通信ユニット４ｂのメモリ・ユニット６に記憶する。描かれている例では、Vは0に設定されている。これは、その制御信号が、制御ユニット４ｂに到着する前に通過した照明モジュールがないことを示している（つまり、前記値は初期には−1に設定されていたことが含意される）。次いで、制御信号は照明モジュール２ｂから隣接の照明モジュール２ａ、２ｃ、２ｆに、それぞれ通信ユニット４ｂ′、４ｂ″、４ｂ′′′を介して通信され（それぞれを通る矢印によって示される）、それぞれ照明モジュール２ａ、２ｆおよび２ｃの通信ユニット４ａ、４ｆ、４ｃによって受信される。通信ユニット４ｂ′、４ｂ″、４ｂ′′′のそれぞれは、値Vを1に設定する（V＝1）。照明モジュール２ａ、２ｆ、２ｃの通信ユニット４ａ、４ｆ、４ｃによって受信されたそれぞれの制御信号はそれぞれ、それぞれの通信ユニットに到着する前に一つの照明モジュールを通過しているからである。次いで、値V＝1が通信ユニット４ｂ′、４ｂ″、４ｂ′′′のそれぞれに含まれるメモリ・ユニット６に記憶されてもよい。同様にして、照明モジュール２ａ、２ｆ、２ｃは、隣接の照明モジュール２ｅ、２ｊ、２ｇ、２ｄに制御信号を通信してもよく、制御信号を受信するそれぞれの照明モジュールの通信ユニットは、値Vをインクリメントして記憶してもよい。これについても図２に示されている。図２における若干数の通信ユニットのみのメモリ・ユニット６が示されているが、照明システム１の各通信ユニットがそのようなメモリ・ユニット６を有しうる。
【００５６】
制御信号が制御装置３から、照明システム１のいくつかの照明モジュールに到着するよう通信されたのち、これらの照明モジュールのそれぞれは、その照明モジュールの通信ユニットすべてに関して最小の制御信号経路長値Vmin（換言すれば、制御信号経路長値のうち最小のものまたは最小のものの一つ）に関連付けられている照明モジュールの通信ユニットを、「アクティブな」通信ユニットとして割り当てるよう適応されていてもよい。そのようなアクティブな通信ユニットは、該アクティブな通信ユニットを介する制御信号の通信が、照明モジュールの他のいかなる通信ユニットを介した制御信号の通信と比べても、制御信号経路長に関して最適であるよう適応されていてもよい。
【００５７】
特定の照明モジュールの通信ユニットの二つ以上が、その照明モジュールの通信ユニットすべてに関する最小の制御信号経路長値Vminに関連付けられていることがありうる。そのような場合、その特定の照明モジュールは、その照明モジュールの通信ユニットすべてに関する最小の制御信号経路長に関連付けられているその照明モジュールの一連の通信ユニットの、第一の方向における最初の通信ユニットを、アクティブな通信ユニットとして割り当てるよう適応されていてもよい。このようにして、照明モジュールのアクティブな通信ユニットを選択する（割り当てる）ことにおける曖昧さが緩和または解消されうる。例として、図２では、これは、照明モジュール２ｅおよび２ｈについて示されている。照明モジュール２ｅに関し、通信ユニット４ｅ′ではなく通信ユニット４ｅが、アクティブな通信ユニットとして設定されている。これは、時計回り方向における通信ユニット４ｅ、４ｅ′のうちの最初の通信ユニットをアクティブな通信ユニットとして選択したことによる。このようにして、制御装置３から照明モジュール２ｅへの制御信号の通信における、制御装置３から通信ユニット４ｅへのデータ経路が、制御装置３から照明モジュール２ｅへの制御信号の通信における、制御装置３から通信ユニット４ｅ′へのデータ経路に比して、優先される。上記で述べた同様の規則を適用して、照明モジュール２ｈの通信ユニット４ｈが、照明モジュール２ｈのアクティブな通信ユニットとして選択されてもよい。このようにして、制御装置３から照明モジュール２ｈの制御信号の通信における、制御装置３から通信ユニット４ｈへのデータ経路が、制御装置３から照明モジュール２ｈの制御信号の通信における、制御装置３から通信ユニット４ｈ′へのデータ経路に比して、優先される。
【００５８】
図２をさらに参照するに、図２に関する上記の議論に鑑み、照明システム１の各照明モジュールのアクティブな通信ユニットが、各照明モジュールの、実線矢印の先端に最も近い通信ユニットによって示されている。本発明の実施形態の原理に例解するため、照明モジュールのいくつかの、点線矢印の先端に最も近い通信ユニットは、それぞれの照明モジュールのアクティブな通信ユニットの制御信号経路長値と等しい制御信号経路長値に関連付けられている、該それぞれの照明モジュールの通信ユニットを示す。しかしながら、アクティブな通信ユニットを曖昧さなく割り当てる（選択する）ための上記規則の適用の結果として、点線矢印における先端に最も近い通信ユニットは、それぞれの照明モジュールのアクティブな通信ユニットとしては選択されていない。
【００５９】
このようにして、上記の議論に鑑み、図２の実線矢印が、制御装置３から照明システム１内のそれぞれの照明モジュールに制御信号を通信するための好ましいデータ経路を示す。制御装置３から照明モジュールに制御信号を通信するためのそのような好ましいデータ経路のそれぞれは、制御信号経路長に関して最適となる、あるいはできるだけ短くなるようなものである。たとえば、制御装置３から照明モジュール２ｅに制御信号を通信するための好ましいデータ経路は、制御装置３から照明モジュール２ｂ、照明モジュール２ｆ、そして照明モジュール２ｅへと進む。さらなる例によれば、制御装置３から照明モジュール２ｐに制御信号を通信するための好ましいデータ経路は、照明モジュール２ｂ、２ｃ、２ｄ、２ｈおよび２ｌをこの順に通り、制御装置３から照明モジュール２ｍに制御信号を通信するための好ましいデータ経路は、照明モジュール２ｂ、２ｆ、２ｊおよび２ｎをこの順に通る。
【００６０】
ここで図３を参照するに、本発明の例示的な実施形態に基づく照明システム１の概略図が示されている。図３に描かれている照明システム１は、図１または図２を参照して記述される照明システムに含まれる構成要素と、同様なまたは同じ機能をもつ同様なまたは同じ構成要素を有する。よって、図３を参照してのそのような同様なまたは同一の構成要素の記述は省略する。図３は、以下で述べる本発明の実施形態の全般的な原理を例解している。図３を参照するに、好ましいまたは最適な制御信号データ経路のそれぞれは、それぞれの照明モジュールから制御装置３にデータを通信するよう適応されていてもよく、それによりそれぞれの照明モジュールから制御装置３へのデータ戻り経路を形成する。該データ戻り経路は、制御装置３からそれぞれの照明モジュールへのデータ経路と平行だが逆方向に走る。このようにして、照明モジュールから制御装置３にさまざまなデータが通信されうる。そのような戻りデータ経路は図３では矢印の対によって示されている。矢印の各対は、互いに平行だが逆方向を向いている実線と点線の矢印を含む。実線の矢印は、制御装置３からのデータ経路を示し、点線の矢印は制御装置３へのデータ戻り経路を示す。
【００６１】
ここで図４を参照するに、本発明の例示的な実施形態に基づく、DVD  ７およびフロッピー（登録商標）ディスク８を含むコンピュータ可読デジタル記憶媒体７、８の概略図が示されている。各媒体には、プロセッサにおいて実行されたときに、上記の本発明のさまざまな実施形態に基づく方法を実行するよう適応されたコンピュータ・コードを含むコンピュータ・プログラムが記憶されてもよい。
【００６２】
図４を参照して二つの異なる型のコンピュータ可読デジタル記憶媒体しか記述しなかったが、本発明は、他の任意の好適な型のコンピュータ可読記憶媒体を用いる実施形態をも包含する。そうした記憶媒体は、これに限られないが、ハードディスク・ドライブ、CD、フラッシュメモリ、磁気テープ、USBスティック、Zipドライブなどといったものである。
【００６３】
ここで図５を参照するに、例示的な実施形態を参照して上記で論じてきたような照明システムを動作させるための、本発明の例示的な実施形態に基づく方法を示す概略的な流れ図が示されている。当該方法の開始後、ステップ５０１で、所定の複数の通信ユニットのそれぞれについて、その通信ユニットによって受信された制御信号に含まれる値が読まれ、所定の増分だけインクリメントされてもよい。その値は、その通信ユニットに到着する前に制御信号が通過した照明モジュールの数を示していてもよい。さらに、ステップ５０１では、インクリメントされた値を含む制御信号経路長値が、その通信ユニット内に記憶されてもよい。ステップ５０２では、複数の通信ユニットに関連付けられた照明モジュールのそれぞれについて、その照明モジュールの通信ユニットすべてに関して最小の制御信号経路長値に関連付けられた、その照明モジュールの通信ユニットが、アクティブな通信ユニットとして割り当てられてもよい。アクティブな通信ユニットは、該アクティブな通信ユニットを介した制御信号の通信が、照明モジュールの他のいかなる通信ユニットを介した制御信号の通信と比べても、制御信号経路長に関して最適であるようなものである。このようにして、最適な制御信号データ経路が形成されることができ、各データ経路は、照明システムの制御装置から照明システムの照明モジュールに制御信号を通信するよう適応されていてもよい。
【００６４】
まとめると、複数の照明モジュールを有する照明システムを動作させる方法が開示される。照明モジュールのそれぞれは、少なくとも一つの通信ユニットを有し、各照明モジュールは、前記少なくとも一つの通信ユニットを介して少なくとも一つの近隣照明モジュールと通信するよう適応される。制御装置が、照明モジュールの少なくとも一つに制御信号を通信するよう適応されていてもよく、照明モジュールのそれぞれは、該照明モジュールに通信された制御信号を、近隣の照明モジュールにさらに通信するよう適応されていてもよい。本方法は、複数の照明モジュールの各照明モジュールの、その照明モジュールの全通信ユニットに関して制御装置から通信ユニットまで測られる最小の制御信号経路長値に関連付けられている通信ユニットを、アクティブな通信ユニットとして割り当てることを含む。それにより、最適な制御信号データ経路が形成されうる。各データ経路は、前記制御装置からある照明モジュールまで制御信号を通信するよう適応されている。
【００６５】
本発明の例示的な実施形態が本稿では記述されてきたが、当業者には、本稿に記載される本発明に対して多数の改変、修正または変更がなされてもよいことは明白であろう。よって、本発明のさまざまな実施形態の上記の記述および付属の図面は、本発明の限定しない例と見なされるものであって、保護の範囲は付属の請求項によって定義される。請求項に参照符号があったとしても、範囲を限定するものと解釈すべきではない。
【図１】
0005583759.tif 000002
【図２】
0005583759.tif 000003
【図３】
0005583759.tif 000004
【図４】
0005583759.tif 000005
【図５】
0005583759.tif 000006